(57)【要約】      （修正有）【課題】安定してタイルカーペットを反転し、製造工程のスピードアップにも追随できる生産効率のよい反転装置、およびこの反転装置を用いた連続積層装置を提供する。【解決手段】回転翼にタイルカーペットを把持して半回転させるような反転装置ではなくて、ガイドに沿ってタイルカーペットをコンベアにより搬送させながら反転するガイド式反転装置を通過させることにより向きを変えて、反転装置を通過させないタイルカーペットとあわせて積層させ、生産効率の向上を図る。【選択図】図１
2008285293.tif 000002
【特許請求の範囲】
【請求項１】
二枚のタイルカーペットの表面同士あるいは裏面同士を重ね合わすタイルカーペットの積層装置において、タイルカーペットの同じ面を上にして一定間隔をあけて連続的に一列に走行させる走行部と、該一列に走行するタイルカーペットを１枚おきにそのまま積層部に送るものとガイド式反転装置を通過させるものとに分ける分岐部と、タイルカーペットを反転するガイド式反転装置部と、ガイド式反転装置部を通過し反転したタイルカーペットを積層部の下側に位置する定位置に待機させる第二積層部と、反転しないでそのまま積層部に送られたタイルカーペットを積層部の上側に位置する定位置に待機させる第一積層部と、前記第一積層部と第二積層部にそれぞれ上下に待機したタイルカーペットをタイルカーペットの走行方向と直角方向に押出して二枚のタイルカーペットを重ね合わして積層する押出し部とを備えてなることを特徴とするタイルカーペットの積層装置。
【請求項２】
前記ガイド式反転装置は、タイルカーペットをガイドに沿って走行させながら反転する装置であることを特徴とする請求項１に記載のタイルカーペットの積層装置。
【請求項３】
二枚のタイルカーペットの表面同士あるいは裏面同士を重ねあわす積層方法であって、タイルカーペットの同じ面を上にして一定間隔をあけて連続的に一列に走行させる第一工程と、該一列に走行するタイルカーペットを１枚おきにそのまま積層部に送るものとガイド式反転装置を通過させるものとに分ける第二工程と、ガイド式反転装置を通過させて反転し積層部の下側に位置する第二積層部に定位置で待機させる第三工程と、前記一列に走行するタイルカーペットの１枚おきに反転させないタイルカーペットを積層部の上側に位置する第一積層部に定位置で待機させる第四工程と、前記第三工程と第四工程で待機する上下に重なり合える状態の反転したタイルカーペットと反転していないタイルカーペットとを、前記タイルカーペットの走行方向に対して、直角方向に押出して重ね合わす第五工程とからなることを特徴とするタイルカーペットの積層方法。
【発明の詳細な説明】
【技術分野】
【０００１】
本発明は、タイルカーペットの製造工程において、裁断されたタイルカーペットを表面同士あるいは裏面同士を重ねあわす積層装置および積層方法に関する技術である。
【背景技術】
【０００２】
従来からタイルカーペットの製造工程において、裁断されたタイルカーペットを表面同士あるいは裏面同士を重ねあわす積層装置としては、特許文献１のような反転装置が使用されていた。
【０００３】
しかしながら、特許文献１のような反転装置では、回転翼にタイルカーペットがしっかり保持されず、製造工程のスピードが上がった場合には、回転翼からタイルカーペットがずれたり落下したりして、反転装置のスピードをあげることができないという課題があった。
【０００４】
【特許文献１】特開２００１−１９３２６９
【発明の開示】
【発明が解決しようとする課題】
【０００５】
本発明の課題は、従来のような反転装置ではなくて、さらに安定してタイルカーペットを反転し、製造工程のスピードアップにも追随できる生産効率のよい反転装置を提供することにある。
【課題を解決するための手段】
【０００６】
本発明は、従来のような回転翼にタイルカーペットを把持して半回転させるような反転装置ではなくて、ガイドに沿ってタイルカーペットを走行させながら反転するガイド式反転装置を通過させることにより生産効率の向上が図られたものである。上記課題を達成するために、本発明は以下の手段を提供する。
【０００７】
［１］二枚のタイルカーペットの表面同士あるいは裏面同士を重ねあわすタイルカーペットの積層装置において、タイルカーペットの同じ面を上にして一定間隔をあけて連続的に一列に走行させる走行部と、該一列に走行するタイルカーペットを１枚おきにそのまま積層部に送るものとガイド式反転装置を通過させるものとに分ける分岐部と、タイルカーペットを反転するガイド式反転装置部と、ガイド式反転装置部を通過し反転したタイルカーペットを積層部の下側に位置する定位置に待機させる第二積層部と、反転しないでそのまま積層部に送られたタイルカーペットを積層部の上側に位置する定位置に待機させる第一積層部と、前記第一積層部と第二積層部にそれぞれ上下に待機したタイルカーペットをタイルカーペットの走行方向と直角方向に押出して二枚のタイルカーペットを重ね合わして積層する押出し部とを備えてなることを特徴とするタイルカーペットの積層装置。
【０００８】
［２］前記ガイド式反転装置は、タイルカーペットをガイドに沿って走行させながら反転する装置であることを特徴とする前項１に記載のタイルカーペットの積層装置。
【０００９】
［３］二枚のタイルカーペットの表面同士あるいは裏面同士を重ねあわす積層方法であって、タイルカーペットの同じ面を上にして一定間隔をあけて連続的に一列に走行させる第一工程と、該一列に走行するタイルカーペットを１枚おきにそのまま積層部に送るものとガイド式反転装置を通過させるものとに分ける第二工程と、ガイド式反転装置を通過させて反転し積層部の下側に位置する第二積層部に定位置で待機させる第三工程と、前記一列に走行するタイルカーペットの１枚おきに反転させないタイルカーペットを積層部の上側に位置する第一積層部に定位置で待機させる第四工程と、前記第三工程と第四工程で待機する上下に重なり合える状態の反転したタイルカーペットと反転していないタイルカーペットとを、前記タイルカーペットの走行方向に対して、直角方向に押出して重ね合わす第五工程とからなることを特徴とするタイルカーペットの積層方法。
【発明の効果】
【００１０】
［１］の発明によれば、二枚のタイルカーペットの表面同士あるいは裏面同士を重ねあわすタイルカーペットの積層装置において、タイルカーペットの同じ面を上にして一定間隔をあけて連続的に一列に走行させる走行部があり、該一列に走行するタイルカーペットを１枚おきにそのまま積層部に送るものとガイド式反転装置を通過させるものとに分ける分岐部があるので、タイルカーペットの製造ラインのスピードに簡単に追随して、タイルカーペットを走行さすことができる。タイルカーペットを反転するガイド式反転装置部は、ガイドに沿って走行するうちに反転するのでタイルカーペットの製造ラインのスピードに追随して反転することができる。ガイド式反転装置部を通過し反転したタイルカーペットは、積層部の下側に位置する定位置に待機させる第二積層部に停止し、反転しないでそのまま積層部に送られたタイルカーペットは、積層部の上側に位置する定位置に待機させる第一積層部に停止するので、二枚のタイルカーペットの表面同士あるいは裏面同士を重ねあわす前の状態にセットすることができる。次に、前記第一積層部と第二積層部にそれぞれ上下に待機したタイルカーペットをタイルカーペットの走行方向と直角方向に押出す押出し部とを備えているので、二枚のタイルカーペットは走行ラインからはずれて横に押出され、表面同士あるいは裏面同士を重ね合わして積層することができる。
【００１１】
［２］の発明によれば、前記ガイド式反転装置は、タイルカーペットをガイドに沿って走行するうちに反転する装置であるので、正確にタイルカーペットの走行経路が確保され、次の工程である積層部での正確な位置決めをすることができる。また、タイルカーペットの製造ラインのスピードに対応して正確に失敗することなくタイルカーペットを反転することができる。
【００１２】
［３］の発明によれば、二枚のタイルカーペットの表面同士あるいは裏面同士を重ねあわす積層方法であって、タイルカーペットの同じ面を上にして一定間隔をあけて連続的に一列に走行させる第一工程と、該一列に走行するタイルカーペットを１枚おきにそのまま積層部に送るものとガイド式反転装置を通過させるものとに分ける第二工程と、ガイド式反転装置を通過させて反転し積層部の下側に位置する第二積層部に定位置で待機させる第三工程と、前記一列に走行するタイルカーペットの１枚おきに反転させないタイルカーペットを積層部の上側に位置する第一積層部に定位置で待機させる第四工程と、前記第三工程と第四工程で待機する上下に重なり合える状態の反転したタイルカーペットと反転していないタイルカーペットとを、前記タイルカーペットの走行方向に対して、直角方向に押出して重ね合わす第五工程と五つの工程からなるので、タイルカーペットの製造ラインのスピードに対応して正確に失敗することなくタイルカーペットを反転し、二枚のタイルカーペットの表面同士あるいは裏面同士を重ねあわす積層方法とすることができる。
【発明を実施するための最良の形態】
【００１３】
本発明は、例えば具体的に図1に示すような装置で、連続して走行するタイルカーペットを１枚おきに反転し、二枚のタイルカーペットの表面同士あるいは裏面同士を重ね合わして積層するものである。
【００１４】
図1に示すように、タイルカーペット1０はパイルを上側にして連続して送られる走行部２によって、分岐部３まで送られる。走行部２には連続して送られるタイルカーペットの１枚１枚を検出するセンサー９が設置され、検出した信号を分岐部３の制御装置（図示せず）に送り、タイルカーペットを１枚おきにガイド式反転装置４を通過させて積層部５に送るものと、そのまま積層部５に送るものとに分けている。  
【００１５】
タイルカーペット1０は、通常、パイルを上側にして前工程である裁断工程から方向性を揃えて連続して送られて来るものであるが、本発明では、パイルを下側にして送られてもかまわない。走行部２は、ローラーコンベアでも、ベルトコンベアでもよく、一定間隔に一定速度でタイルカーペットを搬送するのが好ましい。センサー９は、タイルカーペットの一枚１枚を識別できればどのようなものでも良いが、できれば非接触タイプの光電式のものが好ましい。
【００１６】
分岐部３は、タイルカーペットの１枚１枚を検出するセンサー９の信号をもとに、タイルカーペットを１枚おきにガイド式反転装置４を通過させて積層部５に送るものと、そのまま積層部５に送るものとにわけるものである。材質はどのようなものでも良いが、動作を俊敏にさせるのが好ましいことから、軽量で耐久性があるアルミ製板がよい。駆動方法としては、エアシリンダー等でアルミ製板を上下動しタイルカーペットの走行方向を１枚おき変えてやればよい。
【００１７】
ガイド式反転装置４に送られたタイルカーペット1０は、コンベアベルト１１によって上方に導かれ、ガイド１２に沿って落下走行するうちに反転されて、積層部５の下側に位置する第二積層部７にストッパー１３に沿ってパイル面を下側にして停止する。一方、反転しないでそのまま積層部５に送られたタイルカーペットは、積層部５の上側に位置する第一積層部６にストッパー１３に沿ってパイル面を上側にして停止する。次に、前記第一積層部６と第二積層部７にそれぞれ上下に待機したタイルカーペットをセンサー（図示せず）が感知し押出し部８の制御装置（図示せず）に検出した信号を送り、タイルカーペットの走行方向と直角方向に押出す押出し装置によって、二枚のタイルカーペットはストッパー１３に沿って横に押出され、走行ラインからはずれて裏面同士がずれることなく正確に重ね合わされて積層される。
【００１８】
この時、積層部５のストッパー１３は、走行方向に対して正確に直角に設置されることが好ましく、上下二つのストッパー１３は平行に設置されることがよい。このことにより積層部５に停止した上下二枚のタイルカーペットは、平行に揃えられ、次に走行方向と直角方向に押出し装置によって押出されることにより、他の二辺が揃えられ正確に二枚のタイルカーペットが重ね合わされる。なお、前記第一積層部６と第二積層部７には、押出し装置のレバーが上下に待機したタイルカーペットを押出せるように、レバーの幅に合わせた溝が二本開けられている。また、第一積層部６と第二積層部７には、送られてきたタイルカーペットが前記溝に当たって停止することなくストッパー１３までしっかり送られて停止するために、ローラーコンベアを設置するのが好ましい。
【００１９】
また、タイルカーペットのパイル面同士を重ね合わせたいときは、第一積層部６第二積層部７の上下を入れ替えて、上側にガイド式反転装置４を通過させてタイルカーペットのパイル面を下にして積層部５に送り、下側にタイルカーペットをそのままパイル面を上にして積層部５に送るようにすれば、パイル面同士を重ね合わせることができる。
【産業上の利用可能性】
【００２０】
本発明の技術は、タイルカーペットに限らず、二組のシート状のものの表面同士あるいは裏面同士を連続的に加工スピードを落とさずに重ねあわす技術として有効で、様々な用途に広く使われる。
【図面の簡単な説明】
【００２１】
【図１】タイルカーペット積層装置の概略図である。
【符号の説明】
【００２２】
１    タイルカーペット積層装置
２    走行部
３    分岐部
４    ガイド式反転装置
５    積層部
６    第一積層部
７    第二積層部
８    押出し部
９    センサー
１０  タイルカーペット
１１  コンベアベルト
１２  ガイド
１３  ストッパー  
【図１】
2008285293.tif 000003